(57)【要約】【課題】入力装置及び表示装置並びに複数のコンピュータ本体が接続されて、複数のコンピュータ本体と入力装置及び表示装置とを切り替えて接続する切替装置に関し、コンピュータでの作業性を犠牲にすることなく、切替、設定などの操作を容易に行なえる切替装置を提供することを目的とする。【解決手段】本発明は、入力装置及び表示装置並びに複数のコンピュータ本体が接続されて、該複数のコンピュータ本体と該入力装置及び該表示装置とを切り替えて接続する切替装置において、前記入力装置及び前記表示装置並びに前記複数のコンピュータ本体、及び、装置内部で取得した情報を表示する表示手段と、前記複数のコンピュータ本体と該入力装置及び該表示装置とを切り替えを行なうとともに、前記表示手段に前記入力装置及び前記表示装置並びに前記複数のコンピュータ本体、及び、装置内部で取得した情報を前記表示手段に表示させる処理手段とを有することを特徴とする。【選択図】図２
2006301782.tif 000002
【特許請求の範囲】
【請求項１】
入力装置及び表示装置並びに複数のコンピュータ本体が接続されて、該複数のコンピュータ本体と該入力装置及び該表示装置とを切り替えて接続する切替装置において、
前記入力装置及び前記表示装置並びに前記複数のコンピュータ本体、及び、装置内部で取得した情報を表示する表示手段と、
前記複数のコンピュータ本体と該入力装置及び該表示装置とを切り替えを行なうとともに、前記表示手段に前記入力装置及び前記表示装置並びに前記複数のコンピュータ本体、及び、装置内部で取得した情報を前記表示手段に表示させる処理手段とを有することを特徴とする切替装置。
【請求項２】
前記処理手段に指示を行なう入力操作部を有することを特徴とする請求項１記載の切替装置。
【請求項３】
前記処理手段は、前記入力装置及び前記表示装置並びに前記複数のコンピュータ本体の接続状態を前記表示手段に表示させることを特徴とする請求項１又は２記載の切替装置。
【請求項４】
前記処理手段は、前記入力装置及び前記表示装置に接続されている前記複数のコンピュータ本体のシステムの状態を前記表示手段に表示させる請求項１乃至３のいずれか一項記載の切替装置。
【請求項５】
前記処理手段は、装置の設定及び機能を前記表示手段に表示させることを特徴とする請求項１乃至３のいずれか一項記載の切替装置。
【請求項６】
前記処理手段は、パスワード入力に応じて前記装置の設定及び機能を変更可能とすることを特徴とする請求項５記載の切替装置。
【請求項７】
前記処理手段は、パスワードに応じて前記複数のコンピュータ本体と前記入力装置及び該表示装置との接続を許可することを特徴とする請求項１乃至６のいずれか一項記載の切替装置。
【請求項８】
前記処理手段は、装置の操作マニュアルを前記表示手段に表示させることを特徴とする請求項１乃至７のいずれか一項記載の切替装置。
【請求項９】
前記処理手段は、装置のファームウェアのインストールの状態を前記表示手段に表示させることを特徴とする請求項１乃至８のいずれか一項記載の切替装置。
【請求項１０】
前記処理手段は、装置の機能をメニュー表示することを特徴とする請求項１乃至９のいずれか一項記載の切替装置。
【発明の詳細な説明】
【技術分野】
【０００１】
本発明は切替装置に係り、特に、入力装置及び表示装置並びに複数のコンピュータ本体が接続されて、複数のコンピュータ本体と入力装置及び表示装置とを切り替えて接続する切替装置に関する。
【背景技術】
【０００２】
近年、サーバマシンの発展と複数台のパーソナルコンピュータを所有するパワーユーザの増加している。これらのシステムでは、従来、各コンピュータ毎にキーボード、マウス、ディスプレイを設置する必要があったため、広い設置場所が必要とされていた。また、必要とするマシンを操作する場合には、そのマシンのマウス、キーボード、ディスプレイが設置されている場所に移動して操作する必要があった。さらに、複数のマウス、キーボード、ディスプレイが存在するため、操作性が悪いなどの問題点があった。
【０００３】
このため、複数のコンピュータと一組のキーボード、マウス、ディスプレイとの接続を切り替えることにより、複数のコンピュータを一組のキーボード、マウス、ディスプレイで操作可能とするＫＶＭスイッチと呼ばれる、切替装置が開発されている（特許文献１、２参照）。
【０００４】
切替装置は、例えば、切替装置に設けられたキースイッチや接続されたキーボードの操作によって一組のキーボード、マウス、ディスプレイを複数のコンピュータのいずれかに接続する装置である。このとき、従来のこの種の切替装置では、切替装置本体に設けられたＬＥＤなどの発光による表示や接続されたディスプレイ上に切替情報をＯＳＤ（on screen display）表示する方法が取られていた。
【０００５】
また、キーボードによる切替装置を行なう場合に、キーボードに設定する切替キーなどの設定は、切替装置本体に設けられたディップスイッチにより設定されていた。
【０００６】
【特許文献１】特開２００１−２１６２５１号公報
【特許文献２】特開２００４−５０６９号公報
【発明の開示】
【発明が解決しようとする課題】
【０００７】
しかるに、従来の切替装置において、ＬＥＤ表示を行なう場合では、識別できる情報量が限られおり、機能などが複雑になった場合に対応できない。また、接続されたディスプレイ上に切替情報などがＯＳＤ表示される場合には、ディスプレイの画面上に切替情報などが表示されるため、作業に必要となる画面が制限され、操作性を悪化させていた。
【０００８】
また、キーボードに設定する切替キーの設定を切替装置本体に設けられたディップスイッチにより設定していたため、設定操作の操作性が悪い。また、複雑な機能を追加することができないなどの問題点があった。
【０００９】
本発明は上記の点に鑑みてなされたもので、コンピュータでの作業性を犠牲にすることなく、切替、設定などの操作を容易に行なえる切替装置を提供することを目的とする。
【課題を解決するための手段】
【００１０】
本発明は、入力装置及び表示装置並びに複数のコンピュータ本体が接続されて、該複数のコンピュータ本体と該入力装置及び該表示装置とを切り替えて接続する切替装置において、前記入力装置及び前記表示装置並びに前記複数のコンピュータ本体、及び、装置内部で取得した情報を表示する表示手段と、前記複数のコンピュータ本体と該入力装置及び該表示装置とを切り替えを行なうとともに、前記表示手段に前記入力装置及び前記表示装置並びに前記複数のコンピュータ本体、及び、装置内部で取得した情報を前記表示手段に表示させる処理手段とを有することを特徴とする。
【発明の効果】
【００１１】
本発明によれば、装置に搭載された表示手段に入力装置及び表示装置並びに複数のコンピュータ本体、及び、装置内部で取得した情報を表示させることにより、表示装置にこれらの情報を表示する必要がなくなるので、入力装置及び表示装置、並びに、コンピュータ本体を用いた作業の効率を向上させることができる。
【発明を実施するための最良の形態】
【００１２】
〔システム構成〕
図１は本発明の一実施例のシステム構成図を示す。
【００１３】
本実施例のシステム１００は、入力装置１１１、表示装置１１２、コンピュータ本体１１３−１〜１１３−ｎ、切替装置１１４から構成されている。
【００１４】
入力装置１１１は、キーボード１１１ａ、マウス１１１ｂなどから構成されており、コンピュータ本体１１３−１〜１１３−ｎへのコマンドやデータの入力に用いられる。
【００１５】
表示装置１１２は、ＬＣＤ、ＣＲＴなどから構成されており、コンピュータ本体１１３−１〜１１３−ｎから供給される表示データに応じた画面を表示する。
【００１６】
コンピュータ本体１１３−１〜１１３−ｎは、ここでは、パーソナルコンピュータシステムからキーボード１１１ａ、マウス１１１ｂ、表示装置１１２などの入出力装置を除いたシステムを示している。
【００１７】
〔切替装置１１４〕
図２は切替装置１１４のブロック構成図を示す。
【００１８】
切替装置１１４は、ｎ個のコンピュータ本体１１３−１〜１１３−ｎのうち一つのコンピュータ本体１１３−ｉに入力装置１１１及び表示装置１１２を選択的に接続するように切替を行なう装置であり、処理部１２１、操作部１２２、記憶媒体１２３から構成されている。
【００１９】
処理部１２１には、第１ポートＰａ、及び、第２ポートＰｂが接続されている。第１ポート部Ｐａは、ｎ個のポート群Ｐａ１〜Ｐａｎから構成されている。ポート群Ｐａｉは、第１の入力ポートＰai1、及び、第２の入力ポートＰai2、並びに、ディスプレイポートＰai3から構成されている。
【００２０】
第１の入力ポートＰai1には、キーボードケーブルの一端が接続される。キーボードケーブルの他端は、コンピュータ本体１１３−ｉのキーボードポートやＵＳＢポートに接続される。第２の入力ポートＰai2には、マウスケーブルの一端が接続される。マウスケーブルの他端は、コンピュータ本体１１３−ｉのマウスポートやＵＳＢポートに接続される。ディスプレイポートＰai3には、ディスプレイケーブルの一端が接続される。ディスプレイケーブルの他端は、コンピュータ本体１１３−ｉのディスプレイポートに接続される。
【００２１】
第２ポート部Ｐｂは、第１の入力ポートＰB11、及び、第２の入力ポートＰB12、並びに、ディスプレイポートＰB13、ダウンロードポートＰB14から構成されている。
【００２２】
第１の入力ポートＰB11には、キーボードケーブルの一端が接続される。キーボードケーブルの他端は、キーボード１１１ａに接続されている。第２の入力ポートＰB12には、マウスケーブルの一端が接続される。マウスケーブルの他端は、マウス１１１ｂに接続されている。
【００２３】
〔操作部１２２〕
図３は操作部１２２の平面図を示す。
【００２４】
操作部１２２は、キースイッチ部１３１及び表示部１３２から構成されており、表示部１３２に表示された項目を参照しながら、キースイッチ部１３１を操作することにより各種コマンドを入力可能な構成とされている。
【００２５】
キースイッチ部１３１は、電源スイッチ１４１、方向スイッチ１４２、決定スイッチ１４３、キャンセルスイッチ１４４、ＰＣ切替スイッチ１４５、１４６、ヘルプスイッチ１４７から構成されており、
表示部１３２は、ＬＣＤ（liquid crystal display）などから構成されており、処理部１２１からの指示により設定状態、システム状態、マニュアルなどを表示する。
【００２６】
図４は記憶媒体１２３のデータ構成図を示す。
【００２７】
記憶媒体１２３には、設定データ１５１、マニュアル文書１５２、表示画面データ１５３、バージョン情報１５４、パスワードデータ１５５、ファームウェア１５６が格納されている。
【００２８】
設定データ１５１は、例えば、
（１）接続時のパスワードの入力の要否
（２）設定変更時のパスワード入力の要否
（３）コンソールによる切替方法
（４）システム状態の監視の要否
（５）入力装置１１１との接続の要否
などがある。
【００２９】
マニュアル文書１５２は、マニュアルのテキストデータあるいは画像である。
【００３０】
表示画面データ１５３は、例えば、
（１）メニュー画面
（２）システム状態画面
（３）パスワード入力画面
（４）ダウンロード中画面
（５）設定変更画面
（６）設定表示画面
などのデータがある。
【００３１】
バージョン情報１５４は、切替装置１１４にインストールされているファームウェアのバージョンを表す情報である。
【００３２】
パスワードデータ１５５は、例えば、
（１）設定変更時に要求されるパスワード
（２）入力装置１１１とコンピュータ本体１１３−１〜１１３−ｎとの接続時に要求される接続パスワード
のデータである。
【００３３】
ファームウェア１５６は、処理部１２１に処理を行なわせるためのプログラムである。
【００３４】
〔処理部１２１の動作〕
次に処理部１２１のファームウェア１５６による処理動作を説明する。
【００３５】
図５は処理部１２１の電源投入時の処理フローチャートを示す。
【００３６】
処理部１２１は、ステップＳ１−１で操作パネルの電源スイッチの操作により電源が投入されると、ステップＳ１−２で初期化処理が実行される。初期化処理は、内部回路を初期状態に戻すための処理である。
【００３７】
処理部１２１は、初期化処理が完了すると、ステップＳ１−３でデータ読込処理を行なう。処理部１２１は、ステップＳ１−４でデータ読込処理により読み込まれたデータによって画面表示を行ない、ステップＳ１−５で通常のＫＶＭスイッチとしての処理を実行する。なお、電源投入時には、記憶装置１２３からメニュー画面データが読み出されて、メニュー画面が表示される。
【００３８】
図６はデータ読込処理の処理フローチャートを示す。
【００３９】
処理部１２１は、ステップＳ２−１で記憶媒体１２３から選択された画面データを読み込む。
【００４０】
処理部１２１は、ステップＳ２−２で表示中の画面がメニュー画面である場合には、ステップＳ２−３で方向スイッチ１４２を操作することによりステップＳ２−４で選択メニューが切り替わり、ステップＳ２−５で決定ボタン１４３を操作することによりステップＳ２−６で選択されたメニューの画面データを記憶媒体１２３より読み出し、表示部１３２に表示する。
【００４１】
図７はメニュー画面を示す図である。
【００４２】
メニュー画面は、例えば、設定表示画面１６１、システム状態表示画面１６２、接続パスワード入力画面１６３、マニュアル表示画面１６４、設定変更画面１６５、ダウンロード画面１６６から構成されている。
【００４３】
設定表示画面１６１は、現在のキーボード１１１ａのキーに対する切替動作の設定などを表示する画面である。システム状態表示画面１６２は、コンピュータ本体１１３−１〜１１３−ｎのうち起動しているものや、入力装置１１１に接続状態にあるものなどのシステムの状態を表示するための画面である。
【００４４】
接続パスワード入力画面１６３は、コンピュータ本体１１３−１〜１１３−ｎに接続する際のパスワードを入力する画面である。マニュアル表示画面１６４は、切替装置１１４の操作マニュアルを表示する画面である。設定変更項目１６５は、切替装置１１４の設定を変更する画面である。ダウンロード項目１６６は、記録媒体１２３から設定データ１５１などをダウンロードする画面である。
【００４５】
処理部１２１は、ステップＳ２−７で設定表示画面が表示されていると、ステップＳ２−８で記憶媒体１２３から設定データ１５１が読み出され、ステップＳ２−９で設定データ表示画面を更新する。設定表示画面は、メニュー画面１６０で設定変更項目１６５が選択され、設定変更パスワードが承認されると、表示部１３２に表示される。
【００４６】
処理部１２１は、ステップＳ２−１０でシステム状態表示画面が表示されていると、ステップＳ２−１１でシステム状態を確認し、システム状態表示画面を表示する。確認されるシステム状態は、例えば、
（１）コンピュータ本体１１３−１〜１１３−ｎとの接続の有無
（２）コンピュータ本体１１３−１〜１１３−ｎのシステムの正常／異常
などがある。
【００４７】
また、処理部１２１は、ステップＳ２−１２で設定変更パスワード入力画面が表示されているときに、ステップＳ２−１３でパスワード入力されると、ステップＳ２−１４で設定変更画面データを読み出し、設定変更画面を表示する。なお、設定変更パスワード入力画面は、メニュー画面１６０で設定変更項目１６６が選択されると、
処理部１２１は、ステップＳ２−１５で接続パスワード画面が表示され、ステップＳ２−１６で接続パスワードが入力されると、ステップＳ２−１７で認証を行ない、接続パスワードが承認されると、記憶媒体１２３やコンピュータ本体１１３−１〜１１３−ｎなどへの接続を許可する。
【００４８】
処理部１２１は、ステップＳ２−１８でマニュアル表示画面が表示されているときに、ステップＳ２−１９でキャンセルボタン１４４が操作されると、ステップ２−２０で記憶媒体１２３からメニュー画面データを読み出し、表示部１３２にメニュー画面１６０を表示する。なお、マニュアル表示画面は、操作部１２２のキースイッチ部１３１に設けられたヘルプキー１４７を操作することにより、表示部１３２に表示される。
【００４９】
処理部１２１は、ステップＳ２−２１で設定変更画面が表示されているときに、ステップ２−２２で方向スイッチ１４２が操作されると、ステップＳ２−３で選択される設定項目が変更される。
【００５０】
図８は設定変更画面を示す図である。
【００５１】
設定変更画面１７０は、第１の設定項目１７１−１〜第ｍの設定項目１７１−ｍのｍ個の設定項目から構成されている。方向スイッチ１４２の上下方向の操作により、第１の設定項目１７１−１〜第ｍの設定項目１７１−ｍのうち選択される設定項目１７１−ｉが順次に切り替わり、同様に方向スイッチ１４２の左右方向のスイッチ操作により選択された設定項目の設定が変更される。
【００５２】
処理部１２１はステップＳ２−２４で決定スイッチ１４３を操作することにより記憶媒体１２３の設定データ１５１が選択された設定に更新される。
【００５３】
また、処理部１２１は、ステップＳ２−２６で、記憶媒体１２３にファームウェア１５６をダウンロード中である場合には、ステップＳ２−２８で記憶媒体１２３からダウンロード中画面データを読み出し、ダウンロード中画面を表示部１３２に表示する。処理部１２１は、ステップＳ２−２７でダウンロード中でない場合には、ステップＳ２−２８で記憶媒体１２３より設定表示画面データを読み出し、表示部１３２に設定表示画面を表示する。
【００５４】
〔効果〕
本実施例によれば、切替装置１１４に表示部１３２を設け、システム状態、設定状態などを表示することにより、コンピュータの画面が表示される表示装置１１２にこれらの情報をＯＳＤ表示する必要がなく、表示装置１１２の画面をコンピュータ本体の処理に費やすことができるので、作業効率が向上する。
【図面の簡単な説明】
【００５５】
【図１】本発明の一実施例のシステム構成図である。
【図２】切替装置１１４のブロック構成図である。
【図３】操作部１２２の平面図である。
【図４】記憶媒体１２３のデータ構成図である。
【図５】処理部１２１の電源投入時の処理フローチャートである。
【図６】データ読込処理の処理フローチャートである。
【図７】メニュー画面を示す図である。
【図８】設定変更画面を示す図である。
【符号の説明】
【００５６】
１００  システム
１１１  入力装置、１１１ａ  キーボード、１１１ｂ  マウス
１１２  表示装置、１１３−１〜１１３−ｎ  コンピュータ本体
１１４  切替装置
１２１  処理部、１２２  操作部、１２３  記憶媒体
１３１  キースイッチ部、１３２  表示部
【図１】
2006301782.tif 000003
【図２】
2006301782.tif 000004
【図３】
2006301782.tif 000005
【図４】
2006301782.tif 000006
【図５】
2006301782.tif 000007
【図６】
2006301782.tif 000008
【図７】
2006301782.tif 000009
【図８】
2006301782.tif 000010